(57)【要約】【課題】人体に傷をつけるという事態を防止して検体を採取しうると共に、採取した検体を保存容器内において保存する場合には、検体に手を触れることなく、容易かつ迅速に所定の大きさの容器内に綿棒を収納することができる綿棒を提供する。【解決手段】軸部１１と、軸部１１先端に設けられた当接部１２とを有し、人体の各挿入部位に挿入して使用する綿棒１０であって、上記軸部１１には、人体における各挿入部位に応じて、挿入可能な深さを示す目印１３が形成されている。【選択図】    図１
2005013423.tif 000002
【特許請求の範囲】
【請求項１】
軸部と、軸部先端に設けられた当接部とを有し、人体の各挿入部位に挿入して使用する綿棒であって、上記軸部には、人体における各挿入部位に応じて、上記挿入部位から挿入した場合に人体を傷つけることなく使用しうるように、挿入可能な深さを示す目印が形成されていることを特徴とする綿棒。
【請求項２】
上記目印は、軸部直径方向に沿って形成された線であることを特徴とする請求項１記載の綿棒。
【請求項３】
軸部と、軸部先端に設けられ、人体の目的部位に当接させて、検体を採取し得る当接部とを有し、人体の各穴部に挿入して使用する綿棒であって、上記軸部には、検体採取後に検体収納容器内に検体を上記当接部と共に収納しうるように軸部を折り取ることができる切りこみ部が形成されていることを特徴とする綿棒。
【請求項４】
上記軸部は、断面が円形であることを特徴とする請求項３記載の綿棒。
【請求項５】
上記軸部は、断面が多角形状であることを特徴とする請求項３記載の綿棒。
【請求項６】
上記切りこみ部は、軸部の表面から所定の深さにのみ形成されていることを特徴とする請求項５記載の綿棒。
【請求項７】
上記切りこみ部は、長さ方向に沿って複数箇所に形成されていることを特徴とする請求項３記載の綿棒。
【請求項８】
上記軸部には、軸部後端部に開口すると共に上記当接部に連通する貫通孔が軸部の長さ方向全域に亘って内部に形成されていることを特徴とする請求項１及び３記載の綿棒。
【発明の詳細な説明】
【０００１】
【発明の属する技術分野】
本発明は、綿棒の改良に関する。
【０００２】
【従来の技術】
一般に、医療の現場や家庭において綿棒が広く使用されている。
このような綿棒は、所定の長さの軸部と、軸部先端に取付けられ、いわゆる綿により略球状に形成された当接部とを有している。
上記綿棒は、医療現場において使用される場合には、医師が患者の患部、特に、耳、口、鼻の穴等、体表に開口した穴内に綿棒を差込み、穴の奥の患部に綿棒軸部の先端の当接部を当接させて患部から検体を採取し、細菌検査等を行うために使用されている。
【０００３】
しかしながら、このような綿棒は、人体の穴内に挿入して使用する際に、場合によっては、医師、看護婦等の使用者が、患者の穴内に挿入し過ぎ、患部に強く当たりすぎることにより傷をつける場合や、患者に苦痛を与える場合があった。
患者に苦痛を与えることなく、また、患部その他体内を傷つけることなく、適切に各穴内に挿入して必要量の検体を採取するためには、医師、看護婦の経験や技能に負うところが大きく、医師等が検体採取作業に慣れるまでには時間を要するものであった。
【０００４】
また、検体を採取し、適宜の容器内で検体を、収納容器内において細菌検査等のために保存する場合には、軸部先端の当接部に付着した検体に触れることなく、そのまま収納容器内において保存することが必要である。
しかしながら、上記軸部は所定の長さ寸法を有することから、収納容器の大きさによってはそのままの状態では容器内に収納しにくい場合がある、という不具合が存していた。
【０００５】
なお、従来、使用後の綿棒の綿体に触れることなく使用することができ、より衛生的にした着脱式綿棒も提案されているが、上記のような課題を解決する綿棒は提案されていない（特許文献１参照）。
【０００６】
【特許文献１】
公開特許公報２００３−５２７４７号
【０００７】
【発明が解決しようとする課題】
そこで、本発明の課題は、綿棒を利用して人間の穴内に挿入し検体を採取する場合に、挿入し過ぎて強く患部や、体内部に当たることにより被験者に苦痛を与えたり、人体に傷をつけるという事態を防止して検体を採取しうると共に、採取した検体を保存容器内において保存する場合には、検体に手を触れることなく、容易かつ迅速に所定の大きさの容器内に綿棒を収納することができる綿棒を提供することにある。
【０００８】
【課題を解決するための手段】
前記課題を達成するために、本発明は以下の構成を有している。
本発明は、軸部と、軸部先端に設けられた当接部とを有し、人体の各挿入部位に挿入して使用する綿棒であって、上記軸部には、人体における各挿入部位に応じて、上記挿入部位から挿入した場合に人体を傷つけることなく使用しうるように、挿入可能な深さを示す目印が形成されていることを特徴とする。
【０００９】
従って、本発明にあっては、軸部には、人体の穴部等の、挿入部位に応じ、実際に挿入した場合に、穴部内の患部を傷つけることない程度に適切に当接し、検体を採取しうる深さを示す目印が形成されていることから、医師等の使用者は、使用持には当該目印を目安にして患者・被験者の穴内に挿入することができ、検体採取作業の熟練の如何に拘わらず、患者、被採取者に苦痛を与えることなく、また、被験者を傷つけることなく、安全かつ迅速に検体採取作業を行うことができる。
この場合、上記目印は、軸部幅方向に沿って形成された線である。この線は挿入する穴に応じて、当接部から挿入可能な寸法分離間した位置において軸部上に付されている。
【００１０】
従って、医師等は、この線を目印にして、人体の穴内に綿棒を挿入することができる。
また、本発明にあっては、上記軸部と、軸部先端に設けられ、人体の目的部位に当接させて、検体を採取し得る当接部とを有し、人体の各穴部に挿入して使用する綿棒であって、上記軸部には、検体採取後に検体収納容器内に検体を上記当接部と共に収納しうるように軸部を折り取ることができる切りこみ部が形成されていることを特徴とする。
【００１１】
従って、本発明に係る綿棒にあっては、検体を採取した後、検体の付着した当接部側から保存容器内に挿入し、上記切りこみ部において軸部を、反当接部側から折り取ることにより、上記当接部及び軸部の先端部側を含めて、保存容器内に収納させることができる。
その結果、検体を収納する収納容器の大きさに合わせて、上記切り込み部で適宜先端部側を折り取ることにより、収納容器内に収納しうる長さにして、容易に収納容器に収納させることができる。
従って、付着した検体には全く手を触れることなく、容易かつ迅速に所定の大きさの容器内に綿棒を収納することができる。
【００１２】
なお、上記軸部は、断面が円形であってもよく、また、上記軸部は、断面が多角形状であってもよい。多角形状の場合には、医師等が軸部を把持した場合に滑ることがなく把持しやすい綿棒が提供できる。
また、本発明にあっては、上記切りこみ部は、軸部の表面から所定の深さにのみ形成されていることを特徴とする。従って、本発明にあっては、検体採取時には軸部が所定の剛性を有して、確実に検体を採取する事ができると共に、保存持には容易に軸部の不要部分を折りとることができる。
【００１３】
また、上記切りこみ部は長さ方向に沿って複数箇所に形成されていてもよい。切り込み部が複数箇所に形成されていた場合には、収納する適宜、容器の大きさに合わせて、適切な部位で軸部後端部側を折り取ることができる。
また、本発明にあっては、上記軸部には、軸部後端部に開口すると共に上記当接部に連通する貫通孔が軸部の長さ方向全域に亘って内部に形成されている。
従って、本発明にあっては、上記軸部の後端部から先端部に至る間において貫通孔が設けられていることから、例えば、軸部後端部に薬品を収納した容器を軸部後端部に接合して、貫通孔内部を介して薬品を当接部に含浸させ、患部に塗布することもできる。
【００１４】
また、軸部後端部に、例えば、スポイト状の吸入器具を取り付け、吸入することにより、被験者の体内に挿入した際に、患部の検体を負圧により当接部に吸着させることもできる。このように構成した場合には、当接部を患部に強く当接させて被験者に不要な苦痛を与えることなく非常にソフトに検体を採取することができる。
【００１５】
【発明の実施の形態】
以下、本出願に係る第１発明の実施の形態に係る綿棒を添付図面に基づいて詳細に説明する。  図１に示すように、本実施の形態に係る綿棒１０は、軸部１１と、軸部１１先端に設けられた当接部１２とを有し、上記軸部１１には、人体における各挿入部位に応じて、上記挿入部位から挿入した場合に人体を傷つけることなく、また、被験者に苦痛を与えることなく使用しうるように、挿入可能な深さを示す目印としての線１３が付されている。
【００１６】
上記軸部１１は、紙、プラスチック等の素材からなり、被験者の鼻、耳等の各所の穴内に挿入して穴内部の患部に当接して検体を採取しうる剛性を有するように形成されている。また、上記当接部１２は、脱脂綿又は、ポリエステル脱脂綿等により滅菌して形成されている。
上記線１３は、上記軸部１１の周面全域に形成されている。この線１３は、本実施の形態にあっては、軸部１１の周面に塗料を塗布することにより形成されているが、例えば、浅い溝を軸部１１の周面に刻設することにより形成してもよい。
上記線１３は、人体各所の穴への挿入部位に応じて、適宜の位置に形成される。例えば、鼻の穴内に挿入される綿棒にあっては、日本人の平均的な体形に応じて鼻の穴の開口部から綿棒の挿入可能な部位、例えば、鼻腔への概ねの距離に対応した長さ寸法分当接部から先端部側に離間した部位に形成されている。
【００１７】
また、同様に、耳の穴内に挿入される綿棒１０にあっては、日本人の平均的な体形に応じて耳の穴の開口部から耳内部の、綿棒の挿入可能な部位、例えば、中耳付近への概ねの距離に対応した長さ寸法分当接部から先端部側に離間した部位に形成されている。
従って、本実施の形態にあっては、このような綿棒１０は、鼻専用、耳専用等と、挿入する部位に対応した線１３が付された専用の綿棒として複数種類が準備され、各綿棒の軸部１１には挿入する部位に応じた深さを示す線１３がそれぞれ異なった長さ寸法部位に設けられている。
また、上記軸部１１には、長さ方向に沿って、軸部２１の後端部に開口すると共に上記当接部２２へ至る貫通孔２５が設けられている。
【００１８】
以下、本実施の形態に係る綿棒１０の作用について説明する。
本実施の形態に係る綿棒１０にあっては、医師等が被験者の、例えば、鼻内部の鼻腔の炎症に関する検体を採取しようとする場合には、鼻専用の綿棒１０を利用して、当該綿棒１０の軸部１１に付された線１３が鼻の開口部近傍に至るまでは速やかに鼻内に挿入でき、上記線１３近傍に至った場合には、やや挿入速度を落とし、慎重に挿入することにより患部に大きな衝撃、影響を与えることなく患部に接触して、患部の検体を採取することができる。
【００１９】
従って、本実施の形態に係る綿棒１０にあっては、検体を採取する場合、採取者側の経験年数、技能の如何にかかわらず、迅速かつ容易に、また、被験者に苦痛を与えることなく人体の穴内部に形成された患部の検体を採取することができる。
次に、本出願に係る第２発明の実施の形態につき説明する。
【００２０】
本実施の形態に係る綿棒２０にあっては、上記軸部２１と、軸部２１先端に設けられ、人体の目的部位に当接させて、検体を採取し得る当接部２２とを有し、上記軸部２１には、検体採取後に検体収納容器内に検体を上記当接部と共に収納しうるように軸部を折り取ることができる切りこみ部２３が形成されている。なお、軸部２１及び当接部２２の基本的構成は前記実施の形態と同様である。
【００２１】
本実施の形態にあっては、上記軸部２１は、断面円形状に形成されているが、図３乃至図５に示すように、三角形状、断面多角形状または断面方形状であってもよい。
何れの場合にあっても、図３乃至図５に示すように、切り込み部２３は、片手で軸部２１を把持した状態で指の力のみで折り取ることができるように、上記多角形を形成する各突部２４の表面から内方に向かって若干の深さ寸法位置を以って形成されている。
【００２２】
従って、本実施の形態に係る綿棒２０にあっては、上記切りこみ部２３は軸部２１の直径方向の全域に亘って形成されているものではないことから所定の剛性を有し、通常の検体採取においての使用に充分に耐え得るものである。
使用者が検体を採取し、細菌検査等のために検体を綿棒２０と共に収納容器内に保存する際には、切りこみ部２３において軸部２１の後端部側を折り取り、当接部２２に付着した検体と共に収納容器内に収納するものである。この場合、上記軸部２１は紙製又はプラスチック製であることから、容易に片手の指のみを使って折り取ることができる。
また、本実施の形態にあっては、図６及び図７に示すように、上記軸部１１には、軸部１１後端部に開口すると共に上記当接部２２に連通する貫通孔２５が軸部の長さ方向全域に亘って内部に形成されている。
【００２３】
従って、本発明にあっては、図７に示すように、上記軸部１１の後端部から先端部に至る間において貫通孔２５が設けられていることから、例えば、軸部１１の後端部２８に薬品を収納した容器２６を軸部後端部に接合して、貫通孔２５の内部を介して薬品を当接部２２に含浸させ、患部に塗布することもできる。
また、軸部１１の後端部に、例えば、スポイト状の吸入器具２７を取り付け、この吸入器具２７を収縮させることにより、上記貫通孔２５を介して吸引することにより、被験者の体内に挿入した際に、患部の検体を負圧により当接部２２から採取した検体を当接部２２に吸着させることもできる。このように構成した場合には、当接部２２を患部に強く当接させて被験者に不要な苦痛を与えることなく非常にソフトに検体を採取することができる。
【００２４】
本実施の形態にあっては、上記切りこみ部２３が単一に設けられている場合を例に説明したが、上記実施の形態に限定されず、軸部２１の複数箇所に設けられていてもよい。複数箇所に切りこみ部２３が設けられていた場合には、収納する容器の大きさに合わせて、適切な箇所で軸部２１を折り取り収納することができる。
また、本実施の形態にあっては、上記軸部２１に切り込み部２３が設けられている場合を説明したが、切り込み部２３及び挿入可能性な線１３の双方が設けられていても良く、上記実施の形態に限定されない。
【００２５】
【発明の効果】
第１発明にあっては、以上のような構成を有し、軸部には、人体の穴部等の、挿入部位に応じ、実際に挿入した場合に、穴部内の患部を傷つけることない程度に適切に当接し、検体を採取しうる深さを示す目印が形成されていることから、医師等の使用者は、使用持には当該目印を目安にして患者・被験者の穴内に挿入することができ、検体採取作業の熟練の如何に拘わらず、患者、被採取者に苦痛を与えることなく、適切な検体採取作業を行うことができる。
【００２６】
また、第２発明にあっては、検体を採取した後、検体の付着した当接部側から保存容器内に挿入し、上記切りこみ部において軸部を、反当接部側から、軸部を保持したまま容易に折り取ることにより、上記当接部を保存容器内に収納させることができる。
【００２７】
その結果、検体を収納する収納容器の大きさに合わせて上記切り込み部で適宜先端部側を折り取ることにより、収納容器の大きさに合わせた長さにし、容易に収納容器に収納させることができる。従って、付着した検体には全く手を触れることなく、容易かつ迅速に所定の大きさの容器内に綿棒を収納し、細菌検査等に供することができる。
【００２８】
また、本発明にあっては、検体採取時には軸部が所定の剛性を有して、確実に検体を採取する事ができると共に、保存持には容易に軸部の不要部分を折りとることができる。
また、本発明にあっては、上記軸部には、軸部後端部に開口すると共に上記当接部に連通する貫通孔が軸部の長さ方向全域に亘って内部に形成されている。
従って、本発明にあっては、上記軸部の後端部から先端部に至る間において貫通孔が設けられていることから、例えば、軸部後端部に薬品を収納した容器を軸部後端部に接合して、貫通孔内部を介して薬品を当接部に含浸させ、患部に塗布することもできる。
【００２９】
また、軸部後端部に、例えば、スポイト状の吸入器具を取り付け、吸入することにより、被験者の体内に挿入した際に、患部の検体を負圧により当接部に吸着させることもできる。このように構成した場合には、当接部を患部に強く当接させて被験者に不要な苦痛を与えることなく非常にソフトに検体を採取することができる。
【図面の簡単な説明】
【図１】第１発明に係る綿棒の一実施の形態を示す斜視図である。
【図２】第２発明に係る綿棒の一実施の形態に係る斜視図である。
【図３】本発明に係る綿棒の他の実施の形態を示す斜視図である。
【図４】本発明に係る綿棒の他の実施の形態を示す斜視図である。
【図５】本発明に係る綿棒の他の実施の形態を示す斜視図である。
【図６】本発明に係る綿棒の軸部の構造を示す斜視図である。
【図７】本発明に係る綿棒の軸部に設けられた貫通孔を利用する状態を示す斜視図である。
【符号の説明】
１０  綿棒
１１  軸部
１２  当接部
１３  線
２０  綿棒
２１  軸部
２２  当接部
２３  切りこみ部
２４  突部
２５  貫通孔
２６  容器
２７  吸入器具
２８  後端部
【図１】
2005013423.tif 000003
【図２】
2005013423.tif 000004
【図３】
2005013423.tif 000005
【図４】
2005013423.tif 000006
【図５】
2005013423.tif 000007
【図６】
2005013423.tif 000008
【図７】
2005013423.tif 000009